【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
第１の部材と、
第２の部材と、
前記第１の部材に設けられる送信装置と、
前記第２の部材に設けられる受信装置と
を備え、
前記第１の部材と前記第２の部材が相対移動可能に設けられ、
前記第１の部材と前記第２の部材が相対移動するに伴って、前記送信装置と前記受信装置が対向した際に、無線通信を行う
無線通信システム。
【請求項２】
前記第１の部材と前記第２の部材は同一の回転軸上に設けられ、前記第１の部材及び前記第２の部材のうちのいずれか一方又は双方が、前記回転軸を中心に回転駆動される
請求項１に記載の無線通信システム。
【請求項３】
前記第１の部材と前記第２の部材は、一体に構成され、
前記送信装置と前記受信装置は、常時対向可能となるように、前記第１の部材と前記第２の部材にそれぞれ設けられる
請求項２に記載の無線通信システム。
【請求項４】
前記第１の部材と前記第２の部材は、別個に構成され、
前記送信装置と前記受信装置は、回転駆動により対向可能となるように、前記第１の部材と前記第２の部材にそれぞれ設けられる
請求項２に記載の無線通信システム。
【請求項５】
前記第１の部材及び前記第２の部材のうちのいずれか一方又は双方がスライド駆動される
請求項１に記載の無線通信システム。
【請求項６】
対向した一の対は、他の対と同一のチャネルを使用して無線通信を行う
請求項１乃至５のいずれか一項に記載の無線通信システム。
【請求項７】
対向した一の対は、他の対と異なるチャネルを使用して無線通信を行う
請求項１乃至５のいずれか一項に記載の無線通信システム。
【請求項８】
前記送信装置と前記受信装置の無線通信を制御する制御装置をさらに備える
請求項１乃至７のいずれか一項に記載の無線通信システム。
【請求項９】
前記制御装置は、前記送信装置又は前記受信装置を識別するための端末情報に基づいて、特定の送信装置と、特定の受信装置による無線通信を行わせる
請求項８に記載の無線通信システム。
【請求項１０】
前記制御装置は、前記第１の部材と前記第２の部材の駆動位置を示す位置情報に基づいて、特定の送信装置と、特定の受信装置による無線通信を行わせる
請求項８又は９に記載の無線通信システム。
【請求項１１】
前記第１の部材と前記第２の部材には、前記送信装置と前記受信装置が、１対多の関係を有して配置される
請求項１又は２に記載の無線通信システム。
【請求項１２】
前記無線通信は、ミリ波帯の無線通信である
請求項１乃至１１のいずれか一項に記載の無線通信システム。
【請求項１３】
無線通信システムで用いられる第１の部材において、
前記無線通信システムは、
前記第１の部材に設けられる送信装置と、
第２の部材に設けられる受信装置と
を有しており、
前記第１の部材は、前記第２の部材と相対移動可能となるように設けられ、
前記送信装置は、前記第１の部材と前記第２の部材が相対移動するに伴って、前記受信装置と対向した際に、前記受信装置に無線通信よりデータを送信する
第１の部材。
【請求項１４】
前記第１の部材は、前記第２の部材と同一の回転軸上に設けられ、
前記回転軸を中心に回転される
請求項１３に記載の第１の部材。
【請求項１５】
前記第１の部材は、スライド駆動される
請求項１３に記載の第１の部材。
【請求項１６】
前記無線通信システムは、前記送信装置から前記受信装置への無線通信によるデータの送信を制御する制御装置をさらに有している
請求項１３乃至１５のいずれか一項に記載の第１の部材。
【請求項１７】
前記制御装置は、前記第１の部材と前記第２の部材の駆動位置を示す位置情報に基づいて、前記送信装置による無線通信を制御する
請求項１６に記載の第１の部材。
【請求項１８】
前記無線通信は、ミリ波帯の無線通信である
請求項１３乃至１７のいずれか一項に記載の第１の部材。
【請求項１９】
無線通信システムで用いられる第１の部材において、
前記無線通信システムは、
前記第１の部材に設けられる受信装置と、
第２の部材に設けられる送信装置と
を有しており、
前記第１の部材は、前記第２の部材と相対移動可能となるように設けられ、
前記受信装置は、前記第１の部材と前記第２の部材が相対移動するに伴って、前記送信装置と対向した際に、前記送信装置から送信されるデータを無線通信により受信する
第１の部材。
【請求項２０】
前記第１の部材は、前記第２の部材と同一の回転軸上に設けられ、
前記回転軸を中心に回転される
請求項１９に記載の第１の部材。
【請求項２１】
前記第１の部材は、スライド駆動される
請求項１９に記載の第１の部材。
【請求項２２】
第１の部材と、
第２の部材と、
前記第１の部材に設けられる送信装置と、
前記第２の部材に設けられる受信装置と
を備える無線通信システムの通信方法であって、
前記送信装置と前記受信装置が、前記第１の部材と前記第２の部材が相対移動するに伴って、対向したときに、無線通信を行う
ステップを含む通信方法。
【請求項２３】
前記第１の部材と前記第２の部材とが同一の回転軸上に設けられ、前記第１の部材及び前記第２の部材のうちのいずれか一方又は双方が、前記回転軸を中心に回転駆動される
請求項２２に記載の通信方法。
【請求項２４】
前記第１の部材と前記第２の部材のうちの少なくとも１つがスライド駆動される
請求項２２に記載の通信方法。
【請求項２５】
制御装置が、前記送信装置と前記受信装置との間の無線通信を制御するステップを含む
請求項２２乃至２４のいずれか一項に記載の通信方法。
【請求項２６】
前記制御装置が、前記第１の部材と前記第２の部材の駆動位置を示す位置情報に基づいて、前記送信装置と前記受信装置との間の無線通信を制御するステップを含む
請求項２５に記載の通信方法。
【請求項２７】
前記無線通信は、ミリ波帯の無線通信である
請求項２２乃至２６のいずれか一項に記載の通信方法。
【手続補正２】
【補正対象書類名】明細書
【補正対象項目名】発明の名称
【補正方法】変更
【補正の内容】
【発明の名称】無線通信システム、部材、及び、通信方法
【手続補正３】
【補正対象書類名】明細書
【補正対象項目名】０００１
【補正方法】変更
【補正の内容】
【０００１】
本技術は、無線通信システム、部材、及び、通信方法に関し、特に、確実に無線通信を行うことができるようにした無線通信システム、部材、及び、通信方法に関する。
【手続補正４】
【補正対象書類名】明細書
【補正対象項目名】００２１
【補正方法】変更
【補正の内容】
【００２１】
本技術の一側面の無線通信システムにおいては、第１の部材と第２の部材が相対移動可能に設けられ、第１の部材と第２の部材が相対移動するに伴って、第１の部材に設けられる送信装置と、第２の部材に設けられる受信装置が対向した際に、無線通信が行われる。
本技術の一側面の第１の部材は、無線通信システムで用いられる第１の部材において、前記無線通信システムは、前記第１の部材に設けられる送信装置と、第２の部材に設けられる受信装置とを有しており、前記第１の部材は、前記第２の部材と相対移動可能となるように設けられ、前記送信装置は、前記第１の部材と前記第２の部材が相対移動するに伴って、前記受信装置と対向した際に、前記受信装置に無線通信よりデータを送信する。
前記第１の部材は、前記第２の部材と同一の回転軸上に設けられ、前記回転軸を中心に回転される。
前記第１の部材は、スライド駆動される。
前記無線通信システムは、前記送信装置から前記受信装置への無線通信によるデータの送信を制御する制御装置をさらに有している。
前記制御装置は、前記第１の部材と前記第２の部材の駆動位置を示す位置情報に基づいて、前記送信装置による無線通信を制御する。
前記無線通信は、ミリ波帯の無線通信である。
本技術の一側面の第１の部材においては、前記第１の部材が、前記第２の部材と相対移動可能となるように設けられ、前記送信装置が、前記第１の部材と前記第２の部材が相対移動するに伴って、前記受信装置と対向した際に、前記受信装置に無線通信よりデータが送信される。
本技術の一側面の第１の部材は、無線通信システムで用いられる第１の部材において、前記無線通信システムは、前記第１の部材に設けられる受信装置と、第２の部材に設けられる送信装置とを有しており、前記第１の部材は、前記第２の部材と相対移動可能となるように設けられ、前記受信装置は、前記第１の部材と前記第２の部材が相対移動するに伴って、前記送信装置と対向した際に、前記送信装置から送信されるデータを無線通信により受信する。
前記第１の部材は、前記第２の部材と同一の回転軸上に設けられ、前記回転軸を中心に回転される。
前記第１の部材は、スライド駆動される。
本技術の一側面の第１の部材においては、前記第１の部材が、前記第２の部材と相対移動可能となるように設けられ、前記受信装置が、前記第１の部材と前記第２の部材が相対移動するに伴って、前記送信装置と対向した際に、前記送信装置から送信されるデータが無線通信により受信される。
本技術の一側面の通信方法は、第１の部材と、第２の部材と、前記第１の部材に設けられる送信装置と、前記第２の部材に設けられる受信装置とを備える無線通信システムの通信方法であって、前記送信装置と前記受信装置が、前記第１の部材と前記第２の部材が相対移動するに伴って、対向したときに、無線通信を行うステップを含む。
前記第１の部材と前記第２の部材とが同一の回転軸上に設けられ、前記第１の部材及び前記第２の部材のうちのいずれか一方又は双方が、前記回転軸を中心に回転駆動される。
前記第１の部材と前記第２の部材のうちの少なくとも１つがスライド駆動される。
制御装置が、前記送信装置と前記受信装置との間の無線通信を制御するステップを含む。
前記制御装置が、前記第１の部材と前記第２の部材の駆動位置を示す位置情報に基づいて、前記送信装置と前記受信装置との間の無線通信を制御するステップを含む。
前記無線通信は、ミリ波帯の無線通信である。
本技術の一側面の通信方法においては、第１の部材に設けられる送信装置と第２の部材に設けられる受信装置が、前記第１の部材と前記第２の部材が相対移動するに伴って、対向したときに、無線通信が行われる。